(57)【要約】【課題】  表示する内容の表示方向を一段と適切に切り換え得るようにする。【解決手段】  リモートコントローラ４において、スライドスイッチＳＬＳのスライド操作に応じて、液晶表示部２１に表示する内容の表示方向を切り換えるようにしたことにより、利用者の意に反した表示方向の切り換えを防止することができ、かくして液晶表示部２１に表示する内容の表示方向を一段と適切に切り換えることができる。【選択図】          図１０
2005295052.tif 000002
【特許請求の範囲】
【請求項１】
表示手段と、
上記表示手段に表示する内容の表示方向を切り換えるための切換操作手段と、
本体部を遠隔操作するための操作手段と
を具え、
上記表示手段は、
上記切換操作手段の操作に応じて上記表示する内容の表示方向を切り換える
ことを特徴とする遠隔操作装置。
【請求項２】
上記表示手段は、
上記内容として上記操作手段の機能説明を表示し、上記切換操作手段の操作に応じて当該表示する機能説明の表示方向を切り換える
ことを特徴とする請求項１に記載の遠隔操作装置。
【請求項３】
上記本体部は、
音声を再生する再生手段を有し、
上記表示手段は、
上記内容として上記音声の音量レベルの増減に応じて所定方向に伸縮する音量レベル表示子を表示し、上記切換操作手段の操作に応じて当該表示する音量レベル表示子の伸縮方向を切り換える
ことを特徴とする請求項１に記載の遠隔操作装置。
【請求項４】
上記表示手段は、
表示すべき上記内容を一度に表示しきれない場合、当該内容を所定方向にスクロールさせて当該内容の全体を表示し、上記切換操作手段の操作に応じて当該表示する内容のスクロール方向を切り換える
ことを特徴とする請求項１に記載の遠隔操作装置。
【請求項５】
表示手段と当該表示手段に表示する内容の表示方向を切り換えるための切換操作手段と操作手段とを有する操作装置と、
上記操作装置を制御する制御手段と
を具え、
上記制御手段は、
上記切換操作手段の操作に応じて上記表示手段に表示する内容の表示方向を切り換える
ことを特徴とする電子機器。
【請求項６】
上記表示手段は、
上記内容として上記操作手段の機能説明を表示し、
上記制御手段は、
上記切換操作手段の操作に応じて上記表示手段に表示する機能説明の表示方向を切り換える
ことを特徴とする請求項５に記載の電子機器。
【請求項７】
音声を再生する再生手段を有し、
上記表示手段は、
上記内容として上記音声の音量レベルの増減に応じて所定方向に伸縮する音量レベル表示子を表示し、
上記制御手段は、
上記切換操作手段の操作に応じて上記表示手段に表示する音量レベル表示子の伸縮方向を切り換える
ことを特徴とする請求項５に記載の電子機器。
【請求項８】
上記表示手段は、
表示すべき上記内容を一度に表示しきれない場合、当該内容を所定方向にスクロールさせて当該内容の全体を表示し、
上記制御手段は、
上記切換操作手段の操作に応じて上記表示手段に表示する内容のスクロール方向を切り換える
ことを特徴とする請求項５に記載の電子機器。
【発明の詳細な説明】
【技術分野】
【０００１】
本発明は遠隔操作装置に関し、例えば表示部を有するリモートコントローラに適用して好適なものである。
【背景技術】
【０００２】
近年、携帯型オーディオプレーヤのリモートコントローラや、デジタルカメラ、携帯電話機等、これら多くの携帯型電子機器に、液晶パネル等でなる表示部が設けられている。
【０００３】
かかる携帯型電子機器においては、利用者が所定の方向からこの表示部を見たときに当該表示部に表示する文字や画像等の向きが正しくなるように、これら文字や画像等の表示方向が決められている。言い換えれば、所定の方向以外の方向からこの表示部を見る利用者には、正しい向きの文字や画像等を呈示できない。
【０００４】
そこで、かかる携帯型電子機器においては、この表示部に表示する文字や画像等の表示方向を切り換え得るようにしたものがある。
【０００５】
実際上、表示方向を切り換える手段としては、例えば携帯型オーディオプレーヤのリモートコントローラ内に加速度センサを設け、この加速度センサでリモートコントローラの傾きを検知し、この傾きに応じて表示方向を変えるものや、デジタルカメラの筐体にヒンジ部を介して回動自在な表示部を設け、この表示部の回動に応じて表示方向を切り換えるものが提案されている（例えば特許文献１参照）。
【特許文献１】特開２００１−２７２７１９公報
【発明の開示】
【発明が解決しようとする課題】
【０００６】
しかしながら、従来のような手段においては、加速度センサの検知結果や、回動自在な表示部の回動に応じて自動的に表示方向を切り換えるため、利用者の意に反して表示方向を切り換える場合があり、必ずしも利用者から見て適切な向きに文字や画像等の表示方向が切り換わるとは限らないという問題があった。
【０００７】
本発明は以上の点を考慮してなされたもので、表示する内容の表示方向を一段と適切に切り換え得る遠隔操作装置を提案しようとするものである。
【課題を解決するための手段】
【０００８】
かかる課題を解決するため本発明の遠隔操作装置においては、表示手段と、表示手段に表示する内容の表示方向を切り換えるための切換操作手段と、本体部を遠隔操作するための操作手段とを設け、表示手段が、切換操作手段の操作に応じて表示する内容の表示方向を切り換えるようにした。
【０００９】
また本発明の電子機器においては、表示手段と当該表示手段に表示する内容の表示方向を切り換えるための切換操作手段と操作手段とを有する操作装置と、操作装置を制御する制御手段とを設け、制御手段が、切換操作手段の操作に応じて表示手段に表示する内容の表示方向を切り換えるようにした。
【００１０】
このように切換操作手段の操作に応じて、表示手段に表示する内容の表示方向を切り換えるようにしたことにより、利用者の意に反した表示方向の切り換えを防止することができる。
【発明の効果】
【００１１】
本発明によれば、表示手段と、表示手段に表示する内容の表示方向を切り換えるための切換操作手段と、本体部を遠隔操作するための操作手段とを設け、表示手段が、切換操作手段の操作に応じて表示する内容の表示方向を切り換えるようにしたことにより、利用者の意に反した表示方向の切り換えを防止することができ、かくして表示する内容の表示方向を一段と適切に切り換え得る遠隔操作装置を実現できる。
【００１２】
また本発明によれば、表示手段と当該表示手段に表示する内容の表示方向を切り換えるための切換操作手段と操作手段とを有する操作装置と、操作装置を制御する制御手段とを設け、制御手段が、切換操作手段の操作に応じて表示手段に表示する内容の表示方向を切り換えるようにしたことにより、利用者の意に反した表示方向の切り換えを防止することができ、かくして表示する内容の表示方向を一段と適切に切り換え得る電子機器を実現できる。
【発明を実施するための最良の形態】
【００１３】
以下図面について、本発明の一実施の形態を詳述する。
【００１４】
（１）携帯型オーディオプレーヤの構成
図１において、１は全体として携帯型オーディオプレーヤを示し、光ディスク（図示せず）とほぼ同じ大きさの本体部２と、この本体部２に接続コード３を介して接続されるリモートコントローラ４と、このリモートコントローラ４にイヤホンコード５を介して接続されるイヤホン６とで構成される。
【００１５】
そしてこの携帯型オーディオプレーヤ１は、本体部２に光ディスクが挿入された状態で、例えばリモートコントローラ４に設けられた再生ボタンＰＢが押下されると、光ディスクに記録されている音楽データ等の再生信号を読み出して再生することにより、当該再生信号に基づく音楽をイヤホン６から出力するようになされている。
【００１６】
（１−１）本体部の構成
次に、この携帯型オーディオプレーヤ１の本体部２の構成について図２を用いて説明する。本体部２は、リモートコントローラ４の操作に応じて当該リモートコントローラ４から供給される操作信号Ｓ１をもとに制御部１０が全体を統括的に制御するようになされており、スピンドルモータ（図示せず）を介して回転させた光ディスクの信号記録面に対して、光ピックアップ１１の半導体レーザから光ビームを照射する。
【００１７】
さらに光ピックアップ１１は、光ディスクの信号記録面で反射した戻りの光ビームを光検出器で検出し、この結果得られる検出信号をＲＦアンプ１２に送出する。
【００１８】
ＲＦアンプ１２は、光ピックアップ１１から供給される検出信号に基づいてＲＦ信号、フォーカシングエラー信号及びトラッキングエラー信号を生成し、生成したＲＦ信号を再生回路１３に供給すると共に、フォーカシングエラー信号及びトラッキングエラー信号をサーボ回路１４に供給する。
【００１９】
再生回路１３は、２値化回路１３Ａと、復調回路１３Ｂと、誤り検出訂正回路１３Ｃと、伸長回路１３Ｄと、ディジタル／アナログ変換回路１３Ｅとで構成されており、ＲＦアンプ１２から供給されるＲＦ信号に対して２値化回路１３Ａで２値化処理を施し、この結果得られる２値化データを複調回路１３Ｂに送出する。
【００２０】
復調回路１３Ｂは、２値化回路１３Ａから供給される２値化データに対して復調処理を施すことにより復調データを得、これを誤り検出訂正回路１３Ｃに送出する。
【００２１】
誤り検出訂正回路１３Ｃは、復調データに対して符号誤りを検出訂正するための誤り検出訂正処理を施し、この結果得られる誤り訂正データを伸長回路１３Ｄに送出する。
【００２２】
伸長回路１３Ｄは、誤り訂正データに対して伸長処理を施すことにより伸長データを得、これをディジタル／アナログ変換回路１３Ｅに送出する。
【００２３】
ディジタル／アナログ変換回路１３Ｅは、伸長データに対してディジタル／アナログ変換処理を施すことにより再生信号Ｓ２を得る。
【００２４】
このようにして再生回路１３で得られた再生信号Ｓ２は、アンプ１５で増幅された後、接続コード３を介してリモートコントローラ４に送出される。
【００２５】
一方、サーボ回路１４は、ＲＦアンプ１２から供給されるフォーカシングエラー信号及びトラッキングエラー信号に基づいて、フォーカシングサーボ信号及びトラッキングサーボ信号を生成し、これをドライブ回路１６に送出する。
【００２６】
そしてドライブ回路１６は、サーボ回路１４から供給されたフォーカシングサーボ信号及びトラッキングサーボ信号に基づいて、光ピックアップのフォーカシング及びトラッキングを制御するようになされている。
【００２７】
因みに制御部１０は、リモートコントローラ４から供給される操作信号Ｓ１に基づいて本体部２の全体を統括的に制御するばかりでなく、リモートコントローラ４に対しても、この操作信号Ｓ１に基づく制御信号Ｓ３を送出して制御するようになされている。
【００２８】
（１−２）リモートコントローラの構成
（１−２−１）リモートコントローラの外観構成
次に、リモートコントローラ４の外観構成について図３、図４及び図５を用いて説明する。このリモートコントローラ４は、横長の扁平矩形状でなる筐体２０を有し、この筐体２０の一端にイヤホンコード５が接続され、他端に接続コード３が接続されるようになされている。
【００２９】
この筐体２０の表面には、その中央に横長の液晶パネルでなる液晶表示部２１が、当該筐体２０の長手方向に沿って設けられている。
【００３０】
この液晶表示部２１は、横一行十数文字程度の情報を表示し得る小型のものであり、一度に表示できない情報（例えば十数文字以上の文字情報）については、当該液晶表示部２１の他端側から一端側へこの情報をスクロールさせることで全てを表示するようになされている。
【００３１】
この液晶表示部２１の近傍には、４つの再生操作ボタン（巻戻しボタンＲＢ、停止ボタンＳＢ、再生ボタンＰＢ及び早送りボタンＦＢ）が、当該液晶表示部２１の長手方向に沿って一列に設けられており、当該再生操作ボタンの操作に基づき本体部２において光ディスクに記録されている音楽データの再生処理が行われる。
【００３２】
さらにこの液晶表示部２１の近傍には、当該液晶表示部２１に表示する内容を切り換えるための表示内容切換ボタンＤＢが設けられており、この表示内容切換ボタンＤＢを押下する毎に液晶表示部２１に表示される内容が、例えば光ディスクのＴＯＣ（Table Of Contents）領域に記録された文字情報（曲名やアーティスト名等）の表示、再生している音楽データのトラック番号及び経過時間の表示、音量レベルの表示、再生操作ボタンの機能説明の表示へと順番に切り換わるようになされている。
【００３３】
一方、この筐体２０の裏面には、その他端部に当該裏面と平行でかつ筐体２０の長手方向に垂直な開閉軸２２を有するクリップ取付部２３が設けられている。このクリップ取付部２３には、開閉軸２２を介して裏面の他端部から一端部に延長されてなるクリップ２４が裏面に押し付ける方向及び裏面から離開する方向に回動自在に取り付けられていると共に、クリップ取付部２３内の付勢部材（図示せず）によって裏面側に付勢されている。
【００３４】
これにより筐体２０は、その裏面に設けられたクリップ２４で、Ｙシャツの前立て等を当該筐体２０の一端側（イヤホンコード５が接続されている側）から挟み込んで係止し得るようになされている。
【００３５】
さらに筐体２０の外周面には、スライドスイッチＳＬＳがスライド溝２５に沿って設けられており、このスライドスイッチＳＬＳをスライド溝２５の一端側にスライドさせると液晶表示部２１の表示モードが後述する通常表示モードに遷移し、他端側にスライドさせると後述する反転表示モードに遷移するようになされている。
【００３６】
（１−２−２）リモートコントローラの回路構成
続いてリモートコントローラ４の回路構成について図６を用いて説明する。リモートコントローラ４は、表示内容切換ボタンＤＢ、巻戻しボタンＲＢ、停止ボタンＳＢ、再生ボタンＰＢ、早送りボタンＦＢ、スライドスイッチＳＬＳでなる操作部３０が操作されると、当該操作部３０でこれを認識し、操作されたボタンに対応する操作信号Ｓ１を入出力端子部３１に送出する。
【００３７】
入出力端子部３１は、この操作信号Ｓ１を接続コード３を介して本体部２の制御部１０へ送出する。これによりリモートコントローラ４は、各ボタン及びスイッチの操作状況を操作信号Ｓ１として本体部２の制御部１０へ伝達し、本体部２を遠隔操作し得るようになされている。
【００３８】
またリモートコントローラ４は、送出した操作信号Ｓ１をもとに制御部１０から供給される制御信号Ｓ３を入出力端子部３１に入力し、この制御信号Ｓ３を入出力端子部３１から液晶表示部２１に送出する。そして液晶表示部２１は、この制御信号Ｓ３に基づいて駆動するようになされている。
【００３９】
さらにリモートコントローラ４は、本体部２のアンプ１５から供給される再生信号Ｓ２もこの入出力端子部３１に入力するようになされており、この再生信号Ｓ２を入出力端子部３１からイヤホンコード５を介してイヤホン６に送出する。これによりイヤホン６からは、この再生信号Ｓ２に基づく音楽が出力される。
【００４０】
このようにリモートコントローラ４は、操作部３０を介して本体部２を遠隔操作し得ると共に、本体部２からの制御信号Ｓ３に基づいて液晶表示部２１を駆動し、また本体部２からの再生信号Ｓ２をイヤホンコード５を介してイヤホン６から出力するようになされている。
【００４１】
（１−３）表示モード切換機能
本実施の形態における携帯型オーディオプレーヤ１は、液晶表示部２１の表示モードを通常表示モードから反転表示モードへ、又はその逆へ切り換える表示モード切換機能を有しており、以下、この表示モード切換機能における通常表示モード及び反転表示モードについて説明する。
【００４２】
（１−３−１）通常表示モード
本体部２の制御部１０は、スライドスイッチＳＬＳがスライド溝２５の一端側にスライドされたことをリモートコントローラ４からの操作信号Ｓ１によって認識すると、これに応じて液晶表示部２１の表示モードを通常表示モードに切り換えるための制御信号Ｓ３をリモートコントローラ４に送出して、当該液晶表示部２１を通常表示モードで駆動させる。
【００４３】
液晶表示部２１は、通常表示モード時、図７に示すように、筐体２０の一端側（イヤホンコード５が接続されている側）が左手側、他端側（接続コード３が接続されている側）が右手側となる方向から利用者が当該液晶表示部２１を見たときに、当該液晶表示部２１に表示する文字の向きが正しくなるように、表示する文字の表示方向が設定される。
【００４４】
実際上、利用者から見て筐体２０の一端側が左手側、他端側が右手側となる状況としては、例えば図８に示すように、利用者が、着ている男性用Ｙシャツの前立て４０にこのリモートコントローラ４を係止する場合が考えられる。
【００４５】
すなわち着ている人（利用者）の左手側にある男性用Ｙシャツの前立て４０を、筐体２０の一端側からクリップ２４で挟み込んで係止した状態で、利用者がこの筐体２０の液晶表示部２１を見る場合、筐体２０の一端側が左手側、他端側が右手側となる。
【００４６】
そしてこの状況において、利用者がスライドスイッチＳＬＳを一端側にスライドさせて通常表示モードを選択することにより、正しい向きの文字を液晶表示部２１を介して視認することができる。
【００４７】
（１−３−２）反転表示モード
一方、本体部２の制御部１０は、スライドスイッチＳＬＳがスライド溝２５の他端側にスライドされたことをリモートコントローラ４からの操作信号Ｓ１によって認識すると、これに応じて液晶表示部２１の表示モードを反転表示モードに切り換えるための制御信号Ｓ３をリモートコントローラ４に送出して、当該液晶表示部２１を反転表示モードで駆動させる。
【００４８】
液晶表示部２１は、反転表示モード時、図９に示すように、筐体２０の一端側（イヤホンコード５が接続されている側）が右手側、他端側（接続コード３が接続されている側）が左手側となる方向から利用者が当該液晶表示部２１を見たときに、当該液晶表示部２１に表示する文字の向きが正しくなるように、これら文字の表示方向が設定される。すなわち反転表示モード時には、通常表示モード時における文字の表示方向を反転した状態となる。
【００４９】
実際上、利用者から見て筐体２０の一端側が右手側、他端側が左手側となる状況としては、例えば図１０に示すように、利用者が、着ている女性用Ｙシャツの前立て４１にこのリモートコントローラ４を係止する場合が考えられる。
【００５０】
すなわち着ている人（利用者）の右手側にある女性用Ｙシャツの前立て４１を、筐体２０の一端側からクリップ２４で挟み込んで係止した状態で、利用者がこの筐体２０の液晶表示部２１を見る場合、筐体２０の一端側が右手側、他端側が左手側となる。
【００５１】
そしてこの状況において、利用者がスライドスイッチＳＬＳを他端側にスライドさせて反転表示モードを選択することにより、正しい向きの文字を液晶表示部２１を介して視認することができる。
【００５２】
（１−４）動作及び効果
以上の構成において携帯型オーディオプレーヤ１は、リモートコントローラ４の筐体２０に設けられたスライドスイッチＳＬＳのスライド操作に応じて、液晶表示部２１の表示モードを通常表示モードから反転表示モードへ、又はその逆へ遷移する。
【００５３】
このとき本体部２の制御部１０は、通常表示モードと反転表示モードとで、液晶表示部２１に表示する文字の表示方向が反転するように当該液晶表示部２１を制御する。
【００５４】
これにより携帯型オーディオプレーヤ１は、利用者によるスライドスイッチＳＬＳのスライド操作に応じて、液晶表示部２１に表示する内容の表示方向を切り換えることができる。
【００５５】
以上の構成によれば、携帯型オーディオプレーヤ１は、スライドスイッチＳＬＳのスライド操作に応じて、液晶表示部２１に表示する内容の表示方向を切り換えるようにしたことにより、利用者の意に反した表示方向の切り換えを防止することができ、かくして液晶表示部２１に表示する内容の表示方向を従来と比して一段と適切に切り換えることができる。
【００５６】
（２）他の実施の形態
なお上述の実施の形態においては、遠隔操作装置及び操作装置としてのリモートコントローラ４を有する電子機器としての携帯型オーディオプレーヤ１に本発明を適用した場合について述べたが、本発明はこれに限らず、表示部を有するデジタルカメラや携帯電話機、ゲーム機等、種々の電子機器及びこれら電子機器のリモートコントローラに広く適用できる。
【００５７】
また上述の実施の形態においては、液晶表示部２１に表示する内容の表示方向を反転するようにした場合について述べたが、本発明はこれに限らず、表示方向を９０°回転させる等、複数の方向に切り換えるようにしてもよい。
【００５８】
さらに上述の実施の形態においては、液晶表示部２１に表示する文字の表示方向を反転させるようにした場合について述べたが、本発明はこれに限らず、液晶表示部２１に表示する音量レベルの増減方向を反転させるようにしてもよい。
【００５９】
例えば図１１及び図１２に示すように液晶表示部２１には、音量レベルの増減を視覚的に表す音量レベル表示子としての音量レベル調節バーを表示する。そして通常表示モード時には、当該液晶表示部２１の一端側から他端側への方向に音量レベル調節バーが伸び、その逆方向に音量レベル調節バーが縮むように当該音量レベル調節バーの表示方向を設定する。この場合、早送りボタンＦＢに音量レベル調節バーを伸ばして音量レベルを大きくする機能を割り当て、巻き戻しボタンＲＢに音量レベル調節バーを縮めて音量レベルを小さくする機能を割り当てるようにしてもよい。
【００６０】
一方、反転表示モード時には、液晶表示部２１の他端側から一端側への方向に音量レベル調節バーが伸び、その逆方向に音量レベル調節バーが縮むように当該音量レベル調節バーの表示方向を設定する。すなわち反転表示モード時には、通常表示モード時における音量レベル調節バーの伸縮方向を反転した状態となる。さらにこの場合、巻き戻しボタンＲＢに音量レベル調節バーを伸ばして音量レベルを大きくする機能を割り当て、早送りボタンＦＢに音量レベル調節バーを縮めて音量レベルを小さくする機能を割り当てるようにしてもよい。
【００６１】
このようにして液晶表示部２１に表示する音量レベルの増減方向を反転させると共に、当該反転に応じて音量レベルを調節する機能を所定のボタンに割り当てるようにしたことにより、リモートコントローラ４を利用する向きを限定することなく、かつ操作性を統一することができ、利便性を一段と向上することができる。
【００６２】
さらに上述の実施の形態においては、液晶表示部２１に表示する文字の表示方向のみを切り換えるようにした場合について述べたが、本発明はこれに限らず、液晶表示部２１に表示する各再生操作ボタン（巻戻しボタンＲＢ、停止ボタンＳＢ、再生ボタンＰＢ及び早送りボタンＦＢ）の機能説明の表示方向を切り換えると共に、各再生操作ボタン（巻戻しボタンＲＢ、停止ボタンＳＢ、再生ボタンＰＢ及び早送りボタンＦＢ）に対する機能の割り当てを切り換えるようにしてもよい。
【００６３】
この場合、例えば図１３に示すように通常表示モード時の液晶表示部２１には、その近傍に設けられた４つの再生操作ボタン（巻戻しボタンＲＢ、停止ボタンＳＢ、再生ボタンＰＢ及び早送りボタンＦＢ）の位置と対応する表示位置に、各再生操作ボタンの機能説明（巻戻、停止、再生、早送）が表示される。これにより利用者は、各再生操作ボタンがどのような機能であるのかを液晶表示部２１を介して視認することができる。
【００６４】
一方、反転表示モード時には、図１４に示すように巻戻しボタンＲＢ、停止ボタンＳＢ、再生ボタンＰＢ及び早送りボタンＦＢの機能をそれぞれ早送、再生、停止、巻戻に切り換えると共に、これに応じて液晶表示部２１に表示する各再生操作ボタンの機能説明の表示方向を反転させる。これにより、リモートコントローラ４を利用する向きを限定することなく、かつ操作性を統一することができ、利便性を一段と向上することができる。
【００６５】
さらに上述の実施の形態においては、液晶表示部２１に一度に表示できない情報については、当該液晶表示部２１の他端側から一端側へスクロールさせることで全てを表示するようにした場合について述べたが、本発明はこれに限らず、通常表示モード時には他端側から一端側へスクロールさせ、反転表示モード時には一端側から他端側へスクロールさせるように、通常表示モードと反転表示モードとでスクロールする方向を切り換えるようにしてもよい。
【００６６】
さらに上述の実施の形態においては、液晶パネルでなる液晶表示部２１を用いるようにした場合について述べたが、本発明はこれに限らず、液晶パネルの代わりにプラズマパネルやＥＬ（Electro Luminescence）パネル等でなる種々の表示デバイスを用いるようにしてもよい。
【００６７】
さらに上述の実施の形態においては、本体部２の制御部１０がリモートコントローラ４の液晶表示部２１を制御するようにした場合について述べたが、本発明はこれに限らず、リモートコントローラ４内に液晶表示部２１を制御する制御部を設け、当該制御部が液晶表示部２１を制御するようにしてもよい。
【００６８】
さらに上述の実施の形態においては、スライドスイッチＳＬＳをスライド溝２５の一端側又は他端側にスライドさせることにより通常表示モードと反転表示モードとを切り換えるようにした場合について述べたが、本発明はこれに限らず、例えばスライドスイッチＳＬＳに代えて、押下された状態を保持し得るロック式のプッシュボタンを設け、このプッシュボタンによってモードを切り換えるようにしてもよいし、利用者が自ら操作するものであれば、この他種々の操作デバイスを用いるようにしてもよい。
【００６９】
さらに上述の実施の形態においては、筐体２０の外周面にスライドスイッチＳＬＳを設けるようにした場合について述べたが、本発明はこれに限らず、当該筐体２０の一面や、本体部２の一面等に設けるようにしてもよい。
【００７０】
さらに上述の実施の形態においては、表示手段としての液晶表示部２１や、切換操作手段としてのスライドスイッチＳＬＳや、操作手段としての巻戻しボタンＲＢ、停止ボタンＳＢ、再生ボタンＰＢ及び早送りボタンＦＢや、制御手段としての制御部１０や再生手段としての再生回路１３によってリモートコントローラ４及び本体部２を構成するようにした場合について述べたが、本発明はこれに限らず、この他種々の構成でこのリモートコントローラ４及び本体部２を構成するようにしてもよい。
【産業上の利用可能性】
【００７１】
本発明は、表示部を有するリモートコントローラや電子機器において広く利用できる。
【図面の簡単な説明】
【００７２】
【図１】携帯型オーディオプレーヤ１の構成を示す略線図である。
【図２】本体部の回路構成を示す略線図である。
【図３】リモートコントローラの外観構成（１）を示す略線図である。
【図４】リモートコントローラの外観構成（２）を示す略線図である。
【図５】リモートコントローラの外観構成（３）を示す略線図である。
【図６】リモートコントローラの回路構成を示す略線図である。
【図７】通常表示モード時における液晶表示部の表示例を示す略線図である。
【図８】男性用Ｙシャツに係止した場合（通常表示モード）を示す略線図である。
【図９】反転表示モード時における液晶表示部の表示例を示す略線図である。
【図１０】女性用Ｙシャツに係止した場合（反転表示モード）を示す略線図である。
【図１１】音量レベルの表示例（通常表示モード時）を示す略線図である。
【図１２】音量レベルの表示例（反転表示モード時）を示す略線図である。
【図１３】再生操作ボタンの機能説明の表示例（通常表示モード）を示す略線図である。
【図１４】再生操作ボタンの機能説明の表示例（反転表示モード）を示す略線図である。
【符号の説明】
【００７３】
１……携帯型オーディオプレーヤ、２……本体部、３……接続コード、４……リモートコントローラ、５……イヤホンコード、６……イヤホン、１０……制御部、１３……再生回路、２０……筐体、２１……液晶表示部、２３……クリップ取付部、２４……クリップ、２５……スライド溝、ＤＢ……表示内容切換ボタン、ＦＢ……早送りボタン、ＰＢ……再生ボタン、ＲＢ……巻戻しボタン、ＳＢ……停止ボタン、ＳＬＳ……スライドスイッチ。
【図１】
2005295052.tif 000003
【図２】
2005295052.tif 000004
【図３】
2005295052.tif 000005
【図４】
2005295052.tif 000006
【図５】
2005295052.tif 000007
【図６】
2005295052.tif 000008
【図７】
2005295052.tif 000009
【図８】
2005295052.tif 000010
【図９】
2005295052.tif 000011
【図１０】
2005295052.tif 000012
【図１１】
2005295052.tif 000013
【図１２】
2005295052.tif 000014
【図１３】
2005295052.tif 000015
【図１４】
2005295052.tif 000016
【手続補正書】
【提出日】平成17年3月11日(2005.3.11)
【手続補正１】
【補正対象書類名】特許請求の範囲
【補正対象項目名】全文
【補正方法】変更
【補正の内容】
【特許請求の範囲】
【請求項１】
表示手段と、
上記表示手段に表示する内容の表示方向を切り換えるための切換操作手段と、
本体部を遠隔操作するための操作手段と
を具え、
上記表示手段は、
上記切換操作手段の操作に応じて上記表示する内容の表示方向を切り換える
ことを特徴とする遠隔操作装置。
【請求項２】
上記表示手段は、
上記内容として上記操作手段の操作内容を表示し、上記切換操作手段の操作に応じて当該表示する操作内容の表示方向を切り換える
ことを特徴とする請求項１に記載の遠隔操作装置。
【請求項３】
上記操作手段は、複数の操作子より構成され、
上記切換手段の操作に応じて上記複数の操作子の操作内容を切り換える
ことを特徴とする請求項２に記載の遠隔操作装置。
【請求項４】
上記本体部は、
データを再生する再生手段を有し、
上記表示手段は、
上記内容として上記データの出力レベルの増減に応じて所定方向に伸縮する出力レベル表示子を表示し、上記切換操作手段の操作に応じて当該表示する出力レベル表示子の伸縮方向を切り換える
ことを特徴とする請求項１に記載の遠隔操作装置。
【請求項５】
上記表示手段は、
表示すべき上記内容を一度に表示しきれない場合、当該内容を所定方向にスクロールさせて当該内容の全体を表示し、上記切換操作手段の操作に応じて当該表示する内容のスクロール方向を切り換える
ことを特徴とする請求項１に記載の遠隔操作装置。
【請求項６】
表示手段と、
上記表示手段に表示する内容の表示方向を切り換えるための切換操作手段と、
本体部を操作するための操作手段と、
上記切換操作手段の操作に応じて上記表示手段に表示する内容の表示方向を切り換える制御を実行する制御手段と
を具えることを特徴とする電子機器。
【請求項７】
上記表示手段は、
上記内容として上記操作手段の操作内容を表示し、
上記制御手段は、
上記切換操作手段の操作に応じて当該表示する操作内容の表示を切り換える
ことを特徴とする請求項６に記載の電子機器。
【請求項８】
上記操作手段は、複数の操作子より構成され、
上記切換手段の操作に応じて上記複数の操作子の操作内容を切り換える
ことを特徴とする請求項７に記載の電子機器。
【請求項９】
上記本体部は、
データを再生する再生手段を有し、
上記表示手段は、
上記内容として上記データの出力レベルの増減に応じて所定方向に伸縮する出力レベル表示子を表示し、
上記制御手段は、
上記切換操作手段の操作に応じて当該表示する出力レベル表示子の伸縮方向を切り換える
ことを特徴とする請求項６に記載の電子機器。
【請求項１０】
上記制御手段は、
表示すべき上記内容を一度に表示しきれない場合、当該内容を所定方向にスクロールさせて当該内容の全体を表示し、上記切換操作手段の操作に応じて当該表示する内容のスクロール方向を切り換える
ことを特徴とする請求項６に記載の電子機器。
【手続補正２】
【補正対象書類名】明細書
【補正対象項目名】００５９
【補正方法】変更
【補正の内容】
【００５９】
例えば図１１及び図１２に示すように液晶表示部２１には、音量レベルの増減を視覚的に表す出力レベル表示子としての音量レベル調節バーを表示する。そして通常表示モード時には、当該液晶表示部２１の一端側から他端側への方向に音量レベル調節バーが伸び、その逆方向に音量レベル調節バーが縮むように当該音量レベル調節バーの表示方向を設定する。この場合、早送りボタンＦＢに音量レベル調節バーを伸ばして音量レベルを大きくする機能を割り当て、巻き戻しボタンＲＢに音量レベル調節バーを縮めて音量レベルを小さくする機能を割り当てるようにしてもよい。